(57)【要約】【課題】センサーレンズを精度よくハウジングに実装する。【解決手段】回転する情報記録媒体５に光束を照射し、情報記録媒体５から反射される光束を検出し、情報記録媒体５によって反射される光束を受光する光検出器２０と、情報記録媒体５によって反射される光束を光検出器２０に収束させるセンサーレンズ１９と、光検出器２０及びセンサーレンズ１９が実装されるハウジング５０とを備える光ピックアップ装置１において、センサーレンズ１９をハウジングに３点支持により実装するようにする。より具体的には、ハウジング５０のセンサーレンズ１９の取り付け位置に３つの突部９５を設け、センサーレンズ１９の接触面１９３２を３つの突部９５と接触させることによりセンサーレンズ１９をハウジング５０に３点支持するようにする。【選択図】図９
2011040123.tif 000002
【特許請求の範囲】
【請求項１】
回転する情報記録媒体に光束を照射し、前記情報記録媒体から反射される光束を検出する光ピックアップ装置であって、
前記情報記録媒体によって反射される前記光束を受光する光検出器と、
前記情報記録媒体によって反射される前記光束を前記光検出器に収束させるセンサーレンズと、
前記光検出器及び前記センサーレンズが実装されるハウジングと
を備え、
前記センサーレンズは、前記ハウジングに３点支持されることにより実装されている
ことを特徴とする光ピックアップ装置。
【請求項２】
請求項１に記載の光ピックアップ装置であって、
前記ハウジングは、前記センサーレンズが取り付けられる位置に３つの突部を有し、
前記センサーレンズは、前記３つの突部と接触する接触部を有し、
前記センサーレンズは、前記接触部において前記３つの突部と接触することにより前記ハウジングに３点支持されている
ことを特徴とする光ピックアップ装置。
【請求項３】
請求項２に記載の光ピックアップ装置であって、
前記３つの突部は、前記ハウジングに一体成形されることにより設けられている
ことを特徴とする光ピックアップ装置。
【請求項４】
請求項２に記載の光ピックアップ装置であって、
前記接触部は、前記センサーレンズの周囲に鍔状に延出している
ことを特徴とする光ピックアップ装置。
【請求項５】
請求項４に記載の光ピックアップ装置であって、
前記接触部は、前記センサーレンズの周囲に前記センサーレンズの光軸と垂直な方向に鍔状に延出している
ことを特徴とする光ピックアップ装置。
【請求項６】
回転する情報記録媒体に光束を照射し、前記情報記録媒体から反射される光束を検出し、
前記情報記録媒体によって反射される前記光束を受光する光検出器と、
前記情報記録媒体によって反射される前記光束を前記光検出器に収束させるセンサーレンズと、
前記光検出器及び前記センサーレンズが実装されるハウジングと
を備える光ピックアップ装置の製造方法であって、
前記ハウジングの前記センサーレンズが取り付けられる位置に３つの突部を設け、
前記センサーレンズに前記３つの突部と接触する接触部を設け、
前記センサーレンズを、前記接触部において前記３つの突部と接触させることにより前記ハウジングに３点支持させて前記ハウジングに実装する
ことを特徴とする光ピックアップ装置の製造方法。
【発明の詳細な説明】
【技術分野】
【０００１】
本発明は、光ピックアップ装置、及び光ピックアップ装置の製造方法に関し、特にセンサーレンズを精度よくハウジングに実装する技術に関する。
【背景技術】
【０００２】
一般にフォーカッシング制御方式として非点収差法を採用する光ピックアップ装置は、光ディスクからの戻り光を光検出器に収束させるセンサーレンズ（検出レンズ、アナモレンズ）を備えている（例えば特許文献１を参照。）。センサーレンズは、通常、その入射面側又は出射面側に例えばシリンドリカル面が形成され、光ディスクからの戻り光に非点収差を生じさせる目的で設けられる。
【０００３】
ところで、光ピックアップ装置の光学的な精度を確保するためには、上記センサーレンズを光ピックアップ装置の光学系が収容されるハウジングに高精度で実装する必要がありる。そこで例えば特許文献２には、センサーレンズとそのハウジング（基台）を所定の構造にすることが記載されている。
【先行技術文献】
【特許文献】
【０００４】
【特許文献１】特開２００８−１２３６０５号公報
【特許文献２】特開２００７−１２２８２７号公報
【発明の概要】
【発明が解決しようとする課題】
【０００５】
図１１Ａ及び図１１Ｂは、センサーレンズ１９のハウジング５０への実装方法の一例を示している。センサーレンズ１９をハウジング５０に実装する際は、まずハウジング５０の凹部９１の底面９２の中央にＵＶ（Ultra Violet）接着剤等の接着剤９８を塗布し、底面９２に設けられている取り付け孔９３にセンサーレンズ１９のレンズ本体１９１を挿入してセンサーレンズ１９の鍔部１９３を凹部９１の底面９２に載置する（図１１Ａ）。そしてセンサーレンズ１９をハウジング５０に押圧しつつ、ＵＶ線を照射する等して接着剤９８を硬化させる（図１１Ｂ）。
【０００６】
ここで金属加工等における一般的な加工方法による場合、ハウジング５０の表面を平坦（フラット）に成形することは難しく、ハウジング５０の底面９２には微細な凹凸が存在している。このため、図１１Ａ及び図１１Ｂに示すように、センサーレンズ１９を面的にハウジング５０に接合すると、センサーレンズ１９とハウジング５０との間にガタが生じやすくなる。またセンサーレンズ１９の実装後は、温度等の周囲環境の変化や振動等の外力の影響によって光軸ずれ等が生じる可能性もある。
【０００７】
また接着剤９８を硬化させる際には、センサーレンズ１９に印加される押圧の違いによって光軸の方向が定まらず、製品ごとに光軸の方向にばらつきが生じやすくなる。さらにセンサーレンズ１９の実装精度を十分に確保できないことで、センサーレンズ１９の周囲に配置される他の光学部品（光検出器、ビームスプリッタ等）との間の光軸合わせ等の光学的な調整も難しくなる。
【０００８】
本発明はこのような課題に鑑みてなされたもので、センサーレンズを精度よくハウジングに実装可能な光ピックアップ装置、及び光ピックアップ装置の製造方法を提供することを目的とする。
【課題を解決するための手段】
【０００９】
上記目的を達成するための本発明の一つは、
回転する情報記録媒体に光束を照射し、前記情報記録媒体から反射される光束を検出する光ピックアップ装置であって、
前記情報記録媒体によって反射される前記光束を受光する光検出器と、
前記情報記録媒体によって反射される前記光束を前記光検出器に収束させるセンサーレンズと、
前記光検出器及び前記センサーレンズが実装されるハウジングと
を備える光ピックアップ装置であって、
前記センサーレンズは、前記ハウジングに３点支持されることにより実装されている
こととする。
【００１０】
このようにセンサーレンズを３点支持によりハウジングに実装するようにすることで、センサーレンズとハウジングとの間にガタが生じにくく、実装後におけるセンサーレンズの光軸ずれや製品ごとのばらつきも生じにくい。そしてこのようにセンサーレンズを精度よくハウジングに実装することができるので、センサーレンズの周囲に配置される他の光学部品との間の光軸合わせ等の光学的な調整も容易に行うことができる。
【００１１】
本発明のうちの他の一つは、上記光ピックアップ装置であって、
前記ハウジングは、前記センサーレンズが取り付けられる位置に３つの突部を有し、
前記センサーレンズは、前記３つの突部と接触する接触部を有し、
前記センサーレンズは、前記接触部において前記３つの突部と接触することにより前記ハウジングに３点支持されていることとする。
【００１２】
このようにハウジングに３つの突部を設け、この突部とセンサーレンズの接触部を接触させるようにすることにより、センサーレンズを３点支持する構成を容易に実現することができる。
【００１３】
また本発明のうちの他の一つは、上記光ピックアップ装置であって、前記３つの突部は、前記ハウジングに一体成形されることにより設けられていることとする。
【００１４】
このように３つの突部をハウジングに一体成形により設けるようにすることで、上記突部を高精度でハウジングに設けることができる。そしてこれによりセンサーレンズを高精度でハウジングに実装することができる。
【００１５】
尚、前記接触部は、例えば前記センサーレンズの周囲に鍔状に延出して設けられる。より具体的には、前記接触部は、前記センサーレンズの周囲に前記センサーレンズの光軸と垂直な方向に鍔状に延出する。
【００１６】
その他、本願が開示する課題、及びその解決方法は、発明を実施するための形態の欄、及び図面により明らかにされる。
【発明の効果】
【００１７】
本発明によれば、センサーレンズを精度よくハウジングに実装することができる。
【図面の簡単な説明】
【００１８】
【図１】光ピックアップ装置１の光学系の構成を示す図である。
【図２】光ピックアップ装置１の第１光学系の構成を示す図である。
【図３】光ピックアップ装置１の第２光学系の構成を示す図である。
【図４】ハウジング５０とこれに実装された光学系の様子を示す斜視図である。
【図５】光ディスク装置５００の一例を示すブロック図である。
【図６】第１対物レンズ１８及び第２対物レンズ３８周辺の構造を示す斜視図である。
【図７】第１センサーレンズ１９の構造を示す外観斜視図である。
【図８Ａ】第１センサーレンズ１９の平面図である。
【図８Ｂ】第１センサーレンズ１９を図８ＡのＡ−Ａ’線で切断した断面図である。
【図９】ハウジング５０の第１センサーレンズ１９が取り付けられる位置の周辺の様子を示す斜視図である。
【図１０Ａ】第１センサーレンズ１９のハウジング５０への実装方法を示す図である。
【図１０Ｂ】第１センサーレンズ１９のハウジング５０への実装方法を示す図である。
【図１０Ｃ】第１センサーレンズ１９のハウジング５０への実装方法を示す図である。
【図１１Ａ】第１センサーレンズ１９のハウジング５０への実装方法を示す図である。
【図１１Ｂ】第１センサーレンズ１９のハウジング５０への実装方法を示す図である。
【発明を実施するための最良の形態】
【００１９】
以下、発明を実施するための最良の形態について説明する。本実施形態で説明する光ピックアップ装置１は、回転する情報記録媒体５に光束を照射し、情報記録媒体５から反射される光束を検出する装置である。光ピックアップ装置１は、例えば後述する光ディスク装置５００などの情報記録再生装置に実装される。
【００２０】
本実施形態の光ピックアップ装置１によって情報の記録又は再生が行われる情報記録媒体５は、例えばＢｌｕ−ｒａｙ規格又はＨＤ−ＤＶＤ（High Definition Digital Versatile Disk）規格の光ディスク(第１光ディスク)、ＣＤ（Compact Disk）規格の光ディスク(第２光ディスク)、ＤＶＤ（Digital Versatile Disk）規格の光ディスク(第３光ディスク)である。
【００２１】
図１乃至図３に本実施形態において説明する光ディスクの信号再生もしくは信号記録に用いられる光ピックアップ装置１の光学系の構成を示している。光ピックアップ装置１の光学系は、第１光ディスクについての光学系である第１光学系と、第２光ディスクと第３光ディスクについての光学系である第２光学系とを有する。このうち第１光学系は、例えばＢｌｕ−ｒａｙ規格又はＨＤ−ＤＶＤ規格の光ディスクの記録再生のための光学系を構成し、第２光学系は、例えばＣＤ規格やＤＶＤ規格の光ディスクの記録再生のための光学系を構成している。図１に示す矢線Ｘは、情報記録媒体５の径方向（ラジアル方向）を示している。＋Ｘの方向に情報記録媒体５の回転中心が存在する。
【００２２】
まず第１光学系について説明する。第１光学系は、第１レーザー光放射器１１、第１回折格子１２、第１ビームスプリッタ１３、第１反射ミラー１４、第１コリメートレンズ１５、第１立ち上げミラー１６、第１の１／４波長板１７、第１対物レンズ１８、第１センサーレンズ１９（検出レンズ、アナモレンズ）、及び第１光検出器２０を含んで構成されている。
【００２３】
第１レーザー光放射器１１は、第１波長（例えば４０５ｎｍの青色光）の第１レーザー光を放射する。第１レーザー光放射器１１は、例えば半導体レーザー等の発光素子を用いて構成される。
【００２４】
第１回折格子１２には、第１レーザー光放射器１１から放射される第１レーザー光が入射する。第１回折格子１２は、第１レーザー光を０次光、＋１次回折光、及び−１次回折光に分離する回折格子、及び、直線偏光光である第１レーザー光の偏光方向を所定の方向に変換する１／２波長板を構成要素とする。
【００２５】
第１ビームスプリッタ１３は、第１回折格子１２から入射する第１レーザー光を反射し、一方、第１反射ミラー１４から入射する戻り光は透過する。第１反射ミラー１４は、第１ビームスプリッタ１３から入射する第１レーザー光を第１コリメートレンズ１５の方向に反射する。
【００２６】
第１コリメートレンズ１５は、第１反射ミラー１４から入射する第１レーザー光を平行光に変換する。第１コリメートレンズ１５によって変換された第１レーザー光（平行光）は第１立ち上げミラー１６に入射する。第１立ち上げミラー１６は、第１コリメートレンズ１５から入射する第１レーザー光を光ディスクの記録面に垂直な方向に反射する。
【００２７】
図２に示すように、第１立ち上げミラー１６によって光ディスクの記録面に垂直な方向に反射された第１レーザー光は、第１の１／４波長板１７に入射する。第１レーザー光は、第１の１／４波長板１７によって直線偏光光から円偏光光に変換される。
【００２８】
第１の１／４波長板１７を透過した第１レーザー光（円偏光光）は、第１対物レンズ１８に入射する。第１対物レンズ１８は、入射する第１レーザー光（円偏光光）を光ディスクの信号記録層に集束させる。
【００２９】
以上の構成からなる第１光学系において、第１対物レンズ１８によって集束されて光ディスクの信号記録層に入射された第１レーザー光の戻り光は、第１対物レンズ１８によって平行光に変換されて第１の１／４波長板１７に入射し、第１の１／４波長板１７によって円偏光光から直線偏光光（第１立ち上げミラー１６から入射した時と逆方向）に変換される。直線偏光光となった戻り光は、第１立ち上げミラー１６、第１コリメートレンズ１５、第１反射ミラー１４を経由して第１ビームスプリッタ１３に入射する。
【００３０】
第１ビームスプリッタ１３に入射した戻り光は、第１ビームスプリッタ１３を透過して第１センサーレンズ１９を透過し、第１光検出器２０に入射する。第１センサーレンズ１９は、戻り光を第１光検出器２０上に収束させるとともに、戻り光に非点収差を発生させてフォーカスエラー信号を生成する。第１センサーレンズ１９の入射面側又は出射面側には、例えばシリンドリカル面、平面、凹曲面、又は凸曲面が形成されている。
【００３１】
第１光検出器２０は、複数に分割（例えば第１回折格子１２により３分割された各レーザー光の各受光領域がそれぞれ４分割）された光検出領域を有する。第２光検出器４０は、例えばフォトダイオード等の受光素子を用いて構成されている。尚、第１光検出器２０によって検出された信号に基づく信号再生動作や信号記録動作、第１光検出器２０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００３２】
次に第２光学系について説明する。第２光学系には、第２レーザー光放射器３１、第２回折格子３２、第２の１／４波長板３３、第２ビームスプリッタ３４、第３の１／４波長板３５、第２コリメートレンズ３６、第２立ち上げミラー３７、第２対物レンズ３８、第２センサーレンズ３９（検出レンズ、アナモレンズ）、及び第２光検出器４０を含んで構成されている。
【００３３】
第２レーザー光放射器３１は、第２波長（例えば７８０ｎｍの赤外光）の第２レーザー光、及び第３波長（例えば６５０ｎｍの赤色光）の第３レーザー光を放射する。第２レーザー光放射器３１は、例えば２波長レーザーダイオード等の半導体レーザー（発光素子）を用いて構成される。
【００３４】
第２回折格子３２には、第２レーザー光放射器３１から放射される第２レーザー光又は第３レーザー光が入射する。第２回折格子３２は、入射するレーザー光を０次光、＋１次回折光及び−１次回折光に分離する回折格子、及び、直線偏光光として入射する第２レーザー光又は第３レーザー光の偏光方向を所定の方向に変換する１／２波長板を構成要素とする。
【００３５】
第２の１／４波長板３３には、第２回折格子３２を通過した第２レーザー光又は第３レーザー光が入射する。第２の１／４波長板３３は、入射する第２レーザー光又は第３レーザー光を直線偏光光から円偏光光に変換する。
【００３６】
第２ビームスプリッタ３４は、第２の１／４波長板３３から入射する第２レーザー光又は第３レーザー光を反射し、一方、第３の１／４波長板３５から入射する戻り光は透過する。
【００３７】
第３の１／４波長板３５には、第２ビームスプリッタ３４で反射した第２レーザー光又は第３レーザー光が入射する。第３の１／４波長板３５は、入射するレーザー光を直線偏光光から円偏光光に変換する。尚、後述するように第３の１／４波長板３５は、第２コリメートレンズ３６の一方の面に設けられている。
【００３８】
第２コリメートレンズ３６は、第２ビームスプリッタ３４で反射された後、第３の１／４波長板３５を透過して入射する第２レーザー光又は第３レーザー光を平行光に変換し、第２立ち上げミラー３７に入射させる。
【００３９】
第２立ち上げミラー３７は、入射する第２レーザー光又は第３レーザー光を光ディスクの記録面に垂直な方向に反射する。図３に示すように、第２立ち上げミラー３７で反射された第２レーザー光又は第３レーザー光は第２対物レンズ３８に入射する。第２対物レンズ３８は、入射する第２レーザー光又は第３レーザー光を光ディスクの信号記録層に集束させる。
【００４０】
以上の構成からなる第２光学系において、第２対物レンズ３８によって集束されて光ディスクの信号記録層に入射された第２レーザー光又は第３レーザー光の戻り光は、第２対物レンズ３８によって平行光に変換された後、第２立ち上げミラー３７、第２コリメートレンズ３６、第３の１／４波長板３５を経由して第２ビームスプリッタ３４に入射する。そして第２ビームスプリッタ３４に入射した戻り光は、第２ビームスプリッタ３４を透過して第２センサーレンズ３９を透過し、最終的に第２光検出器４０に入射する。
【００４１】
第２センサーレンズ３９は、戻り光を第２光検出器４０上に収束させるとともに、戻り光に非点収差を発生させてフォーカスエラー信号を生成する。第２センサーレンズ３９の入射面側又は出射面側には、例えばシリンドリカル面、平面、凹曲面、又は凸曲面が形成されている。
【００４２】
第２光検出器４０は、複数に分割（例えば第２回折格子３２により３分割された各レーザー光の各受光領域がそれぞれ４分割）された光検出領域を有する。第２光検出器４０は、例えばフォトダイオード等の受光素子を用いて構成される。尚、第２光検出器４０によって検出された信号に基づく信号再生動作や信号記録動作、第２光検出器４０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００４３】
図４は以上の構成からなる光学系を金属製や樹脂等の素材からなるハウジング５０に実装した状態を示す斜視図である。同図において矢線Ｘは、情報記録媒体５の径方向（ラジアル方向）を示している。＋Ｘ方向に情報記録媒体５の回転中心が存在する。
【００４４】
同図に示すように、光ピックアップ装置１の光学系の各構成要素は、これらが図１乃至図３に示した位置関係となるように、ハウジング５０の所定位置に設けられている。光学系の各構成要素は、ハウジング５０内に設けられている凸部や仕切り板等に接着もしくは嵌合されることによりハウジング５０に設けられている。
【００４５】
図５は以上に説明した光ピックアップ装置１を用いて構成される光ディスク装置５００の一例を示すブロック図である。同図に示すように、この光ディスク装置５００は、前述した光ピックアップ装置１の構成に加えて、スピンドルモータ５０２、モーター駆動回路５０３、レーザードライバ５０４、アクセス機構５０５、変調回路５０６、増幅回路５０７、復調回路５０８、フォーカス制御回路５０９、トラッキング制御回路５１０、チルト制御回路５１１、システム制御装置５１２、及び外部装置５１３を備えている。
【００４６】
スピンドルモータ５０２は、情報記録媒体５を回転させる。モーター駆動回路５０３は、システム制御装置５１２から送られてくる制御信号に応じてスピンドルモータ５０２の回転を制御する。
【００４７】
アクセス機構５０５は、システム制御装置５１２から送られてくる制御信号に応じて光ピックアップ装置１を情報記録媒体５の径方向（ラジアル方向）に移動させる。
【００４８】
レーザードライバ５０４は、変調回路５０６から入力される信号に応じて第１レーザー光放射器１１及び第２レーザー光放射器３１からのレーザー光の放射を制御する。変調回路５０６は、システム制御装置５１２から入力される、情報記録媒体５に記録するデータを記録用のパルス信号に変調する。情報記録媒体５に記録する上記データは、例えばシステム制御装置５１２を介してパーソナルコンピュータ等の外部装置５１３から随時供給される。
【００４９】
増幅回路５０７は、光ピックアップ装置１の第１光検出器２０又は第２光検出器４０から出力される電気信号に含まれているＲＦ信号（RF:Radio Frequency）を増幅し、復調回路５０８に出力する。復調回路５０８は、増幅回路５０７から入力されるＲＦ信号を復調してシステム制御装置５１２に出力する。システム制御装置５１２は、復調回路５０８から入力される復調信号に基づくデータ信号を外部装置５１３に出力する。
【００５０】
フォーカス制御回路５０９、トラッキング制御回路５１０、及びチルト制御回路５１１は、第１対物レンズ１８及び第２対物レンズ３８の駆動制御を行う。
【００５１】
このうちフォーカス制御回路５０９は、光ピックアップ装置１の第１光検出器２０又は第２光検出器４０から出力される電気信号に含まれるフォーカスエラー信号を検出し、検出したフォーカスエラー信号に基づき第１対物レンズ１８及び第２対物レンズ３８のフォーカス制御を行う。
【００５２】
トラッキング制御回路５１０は、光ピックアップ装置１の第１光検出器２０又は第２光検出器４０から出力される電気信号に含まれるトラッキングエラー信号を検出し、検出したトラッキングエラー信号に基づき第１対物レンズ１８及び第２対物レンズ３８のトラッキング制御を行う。
【００５３】
チルト制御回路５１１は、光ピックアップ装置１の第１光検出器２０又は第２光検出器４０から出力される電気信号に含まれるチルトエラー信号を検出し、検出したチルトエラー信号に基づき第１対物レンズ１８及び第２対物レンズ３８のチルト制御を行う。
【００５４】
図６は光ピックアップ装置１の第１対物レンズ１８及び第２対物レンズ３８周辺の構造を示す斜視図である。同図に示す構造は、図４に示したハウジング５０の背面側に設けられる。同図に示すように、第１対物レンズ１８及び第２対物レンズ３８は、一つのレンズホルダ６０の所定位置に設けられている。レンズホルダ６０及びその周囲には、各種コイル６０１（フォーカシングコイル、トラッキングコイル、チルトコイル）、各コイル６０１に電流を供給するための機構（図示せず）、及び、各コイル６０１に磁場を供給する磁石６０２などが配置されている。
【００５５】
図７に本実施形態の光ピックアップ装置１に用いる第１センサーレンズ１９の構造を外観斜視図として示している。また図８Ａは第１センサーレンズ１９の平面図であり、図８Ｂは第１センサーレンズ１９を図８ＡのＡ−Ａ’線で切断した断面図である。
【００５６】
第１センサーレンズ１９は、樹脂やガラス等の素材からなる。図７又は図８Ａ，図８Ｂに示すように、第１センサーレンズ１９は、中央にレンズ本体１９１が設けられる円筒状の部分（以下、円筒部１９２と称する。）と、円筒部１９２の端面の周囲に延出する鍔状の部分（以下、鍔部１９３と称する。）とを有している。図８Ａに示すように、鍔部１９３の外周縁の一部には、第１センサーレンズ１９のハウジング５０への組み付け性を向上するための段差１９３１が設けられている。
【００５７】
第１センサーレンズ１９は、ハウジング５０の側面等に設けられた、ハウジング５０の第１センサーレンズ１９の取り付け位置に実装される。第１センサーレンズ１９をハウジング５０に実装した状態では、＋Ｙ側に第１光検出器２０が位置しており、−Ｙ側に第１ビームスプリッタ１３が位置している。また後述するように、第１センサーレンズ１９をハウジング５０に実装した状態では、鍔部１９３の−Ｙ側の面（以下、接触面１９３２と称する。）がハウジング５０に設けられる後述の突部９５（ダボ）の頂部に接触する。
【００５８】
図９はハウジング５０の上記取り付け位置周辺の様子を示している。同図に示すように、ハウジング５０の第１センサーレンズ１９の取り付け位置には、第１センサーレンズ１９の外形よりもやや大きな内周形状を有する凹部９１が形成されている。同図に示すように、凹部９１の底面９２の中央には、ハウジング５０の側面を貫通する円形の取り付け孔９３が設けられている。第１センサーレンズ１９をハウジング５０に実装する際は、第１センサーレンズ１９の円筒部１９２をこの取り付け孔９３に挿入する。
【００５９】
凹部９１の底面９２の上記取り付け孔９３の周囲には、３つの突部９５が形成されている。３つの突部９５は、例えばハウジング５０と一体成形されることにより、高精度で設けられている。第１センサーレンズ１９を実装した状態では、これら３つの突部９５の頂部に第１センサーレンズ１９の鍔部１９３の接触面１９３２が当接する。
【００６０】
同図に示すように、突部９５は略円錐形状であり、その頂部は平面もしくは所定の曲率を有する曲面に形成されている。３つの突部９５の高さは、第１センサーレンズ１９をこれら３つの突部９５に載置することで、自動的に第１センサーレンズ１９の光軸が正しい方向を向くように設定されている。例えば３つの突部９５は、第１センサーレンズ１９を３つの突部９５に載置することにより第１センサーレンズ１９の光軸の方向が自動的に第１光検出器２０の受光部の中心の方向に向くような高さに設定されている。
【００６１】
３つの突部９５は、第１センサーレンズ１９をこれら３つの突部９５に載置することで、自動的に第１センサーレンズ１９の光軸が正しい方向を向くような大きさ及び形状で設けられている。例えば３つの突部９５は、第１センサーレンズ１９を３つの突部９５に載置することで第１センサーレンズ１９の光軸の方向が第１光検出器２０の受光部の中心を自動的に向くような大きさ及び形状で設けられている。
【００６２】
次に第１センサーレンズ１９のハウジング５０への実装方法について説明する。図１０Ａ乃至図１０Ｃは上記実装方法を説明する図である。以下、これらの図とともに上記実装方法について説明する。
【００６３】
第１センサーレンズ１９のハウジング５０への実装に際しては、まず図１０Ａに示すように、第１センサーレンズ１９の平面方向を凹部９１の形状に合わせつつ、ハウジング５０の凹部９１の底面９２の突部９５の上に載置する。次に図１０Ｂに示すように、第１センサーレンズ１９を凹部９１の所定位置に治具等を用いて片寄せする。そして図１０Ｃに示すように、第１センサーレンズ１９をハウジング５０の側面にポッティングにより接着する。尚、ポッティングは接着剤９７により第１センサーレンズ１９の鍔部１９３の周囲とハウジング５０の側面とが架橋されるように行う。
【００６４】
第１センサーレンズ１９とハウジング５０の接合は、ポッティング以外の方法で行ってもよい。例えば凹部９１の底面９２に接着剤（例えば、ＵＶ（Ultra Violet）接着剤）を塗布した後、第１センサーレンズ１９を突部９５に載置し、第１センサーレンズ１９を凹部９１の所定位置に片寄せした後、紫外線を照射（ＵＶ照射）して接着剤を硬化させるようにしてもよい。
【００６５】
以上に説明したように、本実施形態の光ピックアップ装置１にあっては、第１センサーレンズ１９を３点支持によりハウジング５０に実装するようにしたので、第１センサーレンズ１９とハウジング５０との間にガタが生じにくく、実装後における第１センサーレンズ１９の光軸ずれや製品ごとのばらつきが生じにくい。
【００６６】
また本実施形態の光ピックアップ装置１にあっては、このように第１センサーレンズ１９を精度よくハウジング５０に実装することができるので、第１センサーレンズ１９の周囲に配置される他の光学部品（第１光検出器２０、第１ビームスプリッタ１３等）との間の光軸合わせ等の光学的な調整も容易に行える。このため、光ピックアップ装置１の光学的な精度を確保することができる。
【００６７】
また３つの突部９５は、ハウジング５０に一体成形することにより設けているので、３つの突部９５を高精度でハウジング５０に設けることができ、本実施形態の光ピックアップ装置１にあっては第１センサーレンズ１９を高精度で３点支持する構成を容易に実現することができる。
【００６８】
以上、実施の形態について説明したが、以上の説明は本発明の理解を容易にするためのものであり、本発明を限定するものではない。本発明は、その趣旨を逸脱することなく、変更、改良され得ると共に、本発明にはその等価物が含まれることは勿論である。
【００６９】
例えば、以上の説明では、第１センサーレンズ１９をハウジング５０に接合する場合について説明したが、光ピックアップ装置１の他の光学部品をハウジング５０に接合する場合にも適用することができる。
【符号の説明】
【００７０】
１  光ピックアップ装置
５  情報記録媒体
１１  第１レーザー光放射器
１２  第１回折格子
１３  第１ビームスプリッタ
１４  第１反射ミラー
１５  第１コリメートレンズ
１６  第１立ち上げミラー
１７  第１の１／４波長板
１８  第１対物レンズ
１９  第１センサーレンズ
１９１  レンズ本体
１９２  円筒部
１９３  鍔部
１９３１  段差
１９３２  接触面
２０  第１光検出器
３１  第２レーザー光放射器
３２  第２回折格子
３３  第２の１／４波長板
３４  第２ビームスプリッタ
３５  第３の１／４波長板
３６  第２コリメートレンズ
３７  第２立ち上げミラー
３８  第２対物レンズ
３９  第２センサーレンズ
４０  第２光検出器
５０  ハウジング
９１  凹部
９２  底面
９３  取り付け孔
９５  突部
９７  接着剤
【図１】
2011040123.tif 000003
【図２】
2011040123.tif 000004
【図３】
2011040123.tif 000005
【図４】
2011040123.tif 000006
【図５】
2011040123.tif 000007
【図６】
2011040123.tif 000008
【図７】
2011040123.tif 000009
【図８Ａ】
2011040123.tif 000010
【図８Ｂ】
2011040123.tif 000011
【図９】
2011040123.tif 000012
【図１０Ａ】
2011040123.tif 000013
【図１０Ｂ】
2011040123.tif 000014
【図１０Ｃ】
2011040123.tif 000015
【図１１Ａ】
2011040123.tif 000016
【図１１Ｂ】
2011040123.tif 000017